(57)【要約】【課題】  広告ターゲットに適した広告を選択することが容易ではなかった。【解決手段】  消費者端末（50）は、消費者を広告評価者の候補として広告支援装置（10）に登録する。広告主端末（30）は、広告ターゲットを含む広告の依頼内容を広告支援装置へ送信し、制作者端末（40）は、広告依頼情報に対応する広告作品を広告支援装置へ送信する。広告支援装置は、消費者が登録した情報に基づいて広告ターゲットに対応する広告評価者を選定し、選定した広告評価者の消費者端末に対し当該広告作品の評価を依頼する。評価を依頼された消費者端末は、当該広告作品に対する評価を広告支援装置へ送信し、広告支援装置は、広告作品とその評価とを広告主端末へ通知する。【選択図】      図２
2006251884.tif 000002
【特許請求の範囲】
【請求項１】
消費者の消費者端末が前記消費者を広告評価者の候補として登録するための登録情報を広告支援装置へ送信し、
広告主の広告主端末が広告ターゲットを含む広告の依頼内容を示す広告依頼情報を前記広告支援装置へ送信し、
広告制作者の制作者端末が、前記広告支援装置から前記広告依頼情報を取得し、該広告依頼情報に対応する広告作品を前記広告支援装置へ送信し、
前記広告支援装置が、前記広告主端末からの広告依頼情報が示す広告ターゲットに対応する広告評価者を前記消費者端末からの登録情報に基づき選定し、該選定した広告評価者の消費者端末に対し当該広告作品の評価の依頼を通知し、
前記評価の依頼を通知された消費者端末が当該広告作品の評価を示す評価情報を前記広告支援装置へ送信し、
前記広告支援装置が、前記消費者端末からの評価情報と当該広告作品とを前記広告主端末へ通知することを特徴とする広告支援方法。
【請求項２】
前記広告支援装置が、前記制作者端末からの複数の広告作品に対し前記消費者端末からの評価情報に基づき評価順位を決定し、該評価順位を前記広告主端末へ通知することを特徴とする請求項１記載の広告支援方法。
【請求項３】
前記広告主端末が、前記広告支援装置から該広告主端末へ通知すべき評価順位の範囲を前記広告依頼情報に設定し、
前記広告支援装置が、前記設定された範囲に対応する広告作品および評価情報を前記広告主端末へ通知することを特徴とする請求項２記載の広告支援方法。
【請求項４】
前記広告主端末が、前記評価情報を提供した広告評価者に対する懸賞の内容を前記広告依頼情報に設定し、
前記広告支援装置が、前記設定された懸賞の内容に基づき当該広告評価者の中から当選者を選定し、該当選者の消費者端末へ当選の旨を通知することを特徴とする請求項１乃至３のいずれか１項に記載の広告支援方法。
【請求項５】
前記広告支援装置が、広告作品の改良案を含む評価情報を提供した広告評価者に対し前記懸賞の当選確率を他の広告評価者より高く設定することを特徴とする請求項４記載の広告支援方法。
【請求項６】
前記広告主端末が、前記広告支援装置から通知された広告作品の広告制作者に対する契約の要請を前記広告支援装置へ通知し、
前記広告支援装置が、前記契約の要請がある旨を当該消費者端末へ通知し、
前記契約の要請を通知された消費者端末が、該要請に対する承諾の可否を前記広告支援装置へ通知し、
前記広告支援装置が、前記消費者端末から通知された前記承諾の可否に基づき前記契約の成否を前記広告主端末へ通知することを特徴とする請求項１乃至５のいずれか１項に記載の広告支援方法。
【請求項７】
広告主の広告主端末と、消費者の消費者端末と、広告制作者の制作者端末と、前記各端末に接続された広告支援装置とを備え、
前記広告支援装置は、
消費者を広告評価者の候補として登録するための登録情報を前記消費者端末から受信し該登録情報を記録する手段と、
広告ターゲットを含む広告の依頼内容を示す広告依頼情報を前記広告主端末から受信し該広告依頼情報を記録する手段と、
前記広告依頼情報に対応する広告作品を前記制作者端末から受信し該広告作品を記録する手段と、
前記広告依頼情報が示す広告ターゲットに対応する広告評価者を前記登録情報に基づき選定し該広告評価者の消費者端末に対し当該広告作品の評価の依頼を通知する手段と、
前記評価の依頼を通知された消費者端末から当該広告作品の評価を示す評価情報を受信し該評価情報と当該広告作品とを前記広告主端末へ通知する手段と
を有することを特徴とする広告支援システム。
【請求項８】
前記広告支援装置が、前記制作者端末からの複数の広告作品に対し前記消費者端末からの評価情報に基づき評価順位を決定し、該評価順位を前記広告主端末へ通知することを特徴とする請求項７記載の広告支援システム。
【請求項９】
前記広告主端末が、前記広告支援装置から該広告主端末へ通知すべき評価順位の範囲を前記広告依頼情報に設定し、
前記広告支援装置が、前記設定された範囲に対応する広告作品および評価情報を前記広告主端末へ通知することを特徴とする請求項８記載の広告支援システム。
【請求項１０】
前記広告支援装置は、さらに、評価情報を提供した広告評価者に対する懸賞を抽選する手段を有し、
前記広告主端末が、懸賞の内容を前記広告依頼情報に設定し、
前記広告支援装置が、前記設定された懸賞の内容に基づき当該広告評価者の中から当選者を選定し、該当選者の消費者端末へ当選の旨を通知することを特徴とする請求項７乃至９のいずれか１項に記載の広告支援システム。
【請求項１１】
前記広告支援装置が、広告作品の改良案を含む評価情報を提供した広告評価者に対し前記懸賞の当選確率を他の広告評価者より高く設定することを特徴とする請求項１０記載の広告支援システム。
【請求項１２】
前記広告支援装置は、さらに、広告作品に関する広告主および広告制作者間の契約処理を行う手段を有し、
前記広告主端末が、前記広告支援装置から通知された広告作品の広告制作者に対する契約の要請を前記広告支援装置へ通知し、
前記広告支援装置が、前記契約の要請がある旨を当該消費者端末へ通知し、
前記契約の要請を通知された消費者端末が、該要請に対する承諾の可否を前記広告支援装置へ通知し、
前記広告支援装置が、前記消費者端末から通知された前記承諾の可否に基づき前記契約の成否を前記広告主端末へ通知することを特徴とする請求項７乃至１１のいずれか１項に記載の広告支援システム。
【請求項１３】
広告主の広告主端末と消費者の消費者端末と広告制作者の制作者端末とに接続された広告支援装置であって、
消費者を広告評価者の候補として登録するための登録情報を前記消費者端末から受信し該登録情報を記録する手段と、
広告ターゲットを含む広告の依頼内容を示す広告依頼情報を前記広告主端末から受信し該広告依頼情報を記録する手段と、
前記広告依頼情報に対応する広告作品を前記制作者端末から受信し該広告作品を記録する手段と、
前記広告依頼情報が示す広告ターゲットに対応する広告評価者を前記登録情報に基づき選定し該広告評価者の消費者端末に対し当該広告作品の評価の依頼を通知する手段と、
前記評価の依頼を通知された消費者端末から当該広告作品の評価を示す評価情報を受信し該評価情報と当該広告作品とを前記広告主端末へ通知する手段と
を備えることを特徴とする広告支援装置。
【請求項１４】
前記制作者端末からの複数の広告作品に対し前記消費者端末からの評価情報に基づき評価順位を決定し、該評価順位を前記広告主端末へ通知することを特徴とする請求項１３記載の広告支援装置。
【請求項１５】
前記広告依頼情報として、前記広告主端末へ通知すべき評価順位の範囲が設定された広告依頼情報を受信し、前記設定された範囲に対応する広告作品および評価情報を前記広告主端末へ通知することを特徴とする請求項１４記載の広告支援装置。
【請求項１６】
さらに、評価情報を提供した広告評価者に対する懸賞を抽選する手段を有し、
前記広告依頼情報として、懸賞の内容が設定された広告依頼情報を受信し、前記設定された懸賞の内容に基づき当該広告評価者の中から当選者を選定し、該当選者の消費者端末へ当選の旨を通知することを特徴とする請求項１３乃至１５のいずれか１項に記載の広告支援装置。
【請求項１７】
広告作品の改良案を含む評価情報を提供した広告評価者に対し前記懸賞の当選確率を他の広告評価者より高く設定することを特徴とする請求項１６記載の広告支援装置。
【請求項１８】
さらに、広告作品に関する広告主および広告制作者間の契約処理を行う手段を有し、
前記広告主端末へ通知した広告作品の広告制作者に対する契約の要請を該広告主端末から受信し、前記契約の要請がある旨を当該消費者端末へ通知し、前記契約の要請を通知された消費者端末から該要請に対する承諾の可否を受信し、該承諾の可否に基づき前記契約の成否を前記広告主端末へ通知することを特徴とする請求項１３乃至１７のいずれか１項に記載の広告支援装置。
【請求項１９】
コンピュータを、請求項１３乃至１８のいずれか１項に記載の広告支援装置として機能させることを特徴とするプログラム。
【発明の詳細な説明】
【技術分野】
【０００１】
本発明は、商品広告、企業広告および意見広告等の広告を支援する手法に関し、特に、その支援を通信ネットワークを用いて行う手法に関する。
【背景技術】
【０００２】
企業などの組織が広告主となって広告を行うにあたっては、一般的に、自社の広報部門あるいは外部の広告代理店等の広告制作者に制作を依頼し、その依頼内容を基に制作された広告作品を公開するという方法がとられる。このような広告主と広告制作者との間には、従来、次のような不都合がある。
【０００３】
一つは、広告制作者として、その都度、特定のデザイナーやライターを採用した場合、デザインなどが特定の趣向に偏りやすいことから、新規の広告であっても消費者にとっては目新しさに欠ける可能性がある。そこで、例えば、広告に有名人を起用すれば消費者にインパクトを与えることができるが、このような広告は、広告予算に余裕を持つ企業には容易であっても、資金力に乏しい企業にとっては困難である。
【０００４】
また、広告制作者から広告主となる企業等へ営業活動を行うとき、特に、広告制作者側の事業規模や過去の実績が不十分な場合は、たとえ優れた作品を制作する者であっても、新規の広告主とは契約が成立し難いのが実情である。
【０００５】
広告に関する上述のような不都合を解消するための手法として、例えば、後述の特許文献１に記載のものがある。特許文献１に記載の手法は、インターネットのコンテンツに掲載する広告に関するものであり、予め企画検索装置に広告企画情報および制作企画情報を格納しておき、企画検索装置が、制作業者から指定された制作企画情報に適した広告企画情報を抽出し、また、広告主から指定された広告企画情報に適した制作企画情報を抽出し、それぞれで抽出した情報を出力するというものである。この手法によれば、コンテンツ制作業者および広告主間にて互いに適切なパートナーを探し出すことができる。
【特許文献１】特開２００１−２５６２３８号公報
【発明の開示】
【発明が解決しようとする課題】
【０００６】
しかしながら、一般的に、インターネットのコンテンツに対しては不特定多数の閲覧者が存在することから、趣味や学術のような特定の目的を持つコンテンツでない限り、閲覧者の人物像を推定することは困難である。よって、上記特許文献１に記載の手法にあっては、広告を掲載したコンテンツの閲覧者と、広告主が想定する広告ターゲットとが合致しないおそれがある。また、上記文献の手法において採用される広告自体は広告主の主観に基づき選定されることから、その広告が実際に広告ターゲットに適したものであるか否かは広告主にも不明である。
【０００７】
本発明は、上記課題に鑑みてなされたものであり、広告制作者に対しより多くの契約のチャンスを与えると共に、広告ターゲットに適した広告を広告主が選択し得る広告支援方法およびシステムを提供することを目的とする。
【課題を解決するための手段】
【０００８】
本発明に係る広告支援方法は、消費者の消費者端末が前記消費者を広告評価者の候補として登録するための登録情報を広告支援装置へ送信し、広告主の広告主端末が広告ターゲットを含む広告の依頼内容を示す広告依頼情報を前記広告支援装置へ送信し、広告制作者の制作者端末が、前記広告支援装置から前記広告依頼情報を取得し、該広告依頼情報に対応する広告作品を前記広告支援装置へ送信し、前記広告支援装置が、前記広告主端末からの広告依頼情報が示す広告ターゲットに対応する広告評価者を前記消費者端末からの登録情報に基づき選定し、該選定した広告評価者の消費者端末に対し当該広告作品の評価の依頼を通知し、前記評価の依頼を通知された消費者端末が当該広告作品の評価を示す評価情報を前記広告支援装置へ送信し、前記広告支援装置が、前記消費者端末からの評価情報と当該広告作品とを前記広告主端末へ通知するという方法である。
【０００９】
本発明に係る広告支援システムは、広告主の広告主端末と、消費者の消費者端末と、広告制作者の制作者端末と、前記各端末に接続された広告支援装置とを備え、前記広告支援装置は、消費者を広告評価者の候補として登録するための登録情報を前記消費者端末から受信し該登録情報を記録する手段と、広告ターゲットを含む広告の依頼内容を示す広告依頼情報を前記広告主端末から受信し該広告依頼情報を記録する手段と、前記広告依頼情報に対応する広告作品を前記制作者端末から受信し該広告作品を記録する手段と、前記広告依頼情報が示す広告ターゲットに対応する広告評価者を前記登録情報に基づき選定し該広告評価者の消費者端末に対し当該広告作品の評価の依頼を通知する手段と、前記評価の依頼を通知された消費者端末から当該広告作品の評価を示す評価情報を受信し該評価情報と当該広告作品とを前記広告主端末へ通知する手段とを有する。
【発明の効果】
【００１０】
本発明によれば、広告支援装置が広告制作者から収集した広告作品を広告主へ提供するに先立ち、収集した作品を第三者となる消費者により評価することから、広告主にとって有益な広告作品を提供することができる。しかも、その評価者は、広告主が指定した広告ターゲットに対応する消費者であることから、より現実的な評価を得ることができる。また、広告制作者に対し、より多くの契約の機会を与えることができる。
【発明を実施するための最良の形態】
【００１１】
以下、本発明の実施の形態について図面を用いて詳細に説明する。図１は、本実施形態の広告支援システム１００の構成を示すブロック図である。システム１００は、インターネットを含む通信ネットワーク１００Ａに接続された広告支援装置１０を備える。また、通信ネットワーク１００Ａには、企業等の広告主が用いる広告主端末３０と、デザイナーやライター等の広告制作者が用いる制作者端末４０と、広告ターゲットの候補となる消費者が用いる消費者端末５０とが接続されている。これらの各端末には、例えば、一般的なパーソナルコンピュータを用いることができる。
【００１２】
広告支援装置１０は、図１に示すように、広告支援に必要な後述の情報を記憶する記憶機構１１と、記憶機構１１の情報を用いて各端末に対する広告支援に係る処理を行う制御機構１２とを備える。記憶機構１１は、広告主端末３０から供給される広告主の企業情報および広告の依頼内容を記憶する広告主ＤＢ（データベース）１３および募集要項ＤＢ１４と、消費者端末５０から供給される消費者の個人情報を記憶する消費者ＤＢ１５と、制作者端末４０から供給される広告制作者の個人情報および広告作品を記憶する制作者ＤＢ１６および作品ＤＢ１７とを有する。
【００１３】
制御機構１２は、その機能構成として、広告支援装置１０が通信ネットワーク１００Ａ上にて公開するＨＰ（ホームページ）に関する処理を行うＨＰ処理部１８と、作品ＤＢ１７の広告作品について後述の評価を行うための評価処理部１９と、広告評価者となる消費者に対する懸賞の抽選を行う抽選処理部２０と、広告主および広告制作者間の契約に係る処理を行う契約処理部２１と、これらの各機能構成を統轄する制御部２２とを有する。
【００１４】
広告支援システム１００にて取り扱う広告作品は、電子データ化が可能なものであれば特に制限はなく、その電子データとしては、例えば、いわゆるキャッチフレーズ等の文章を記載した文書データ、ポスターのような紙面広告をデジタルカメラで撮影することにより得られる静止画像データ、テレビ等による映像広告のための動画像データ、ラジオ等による音声広告のための音声データなどを取り扱うことができる。
【００１５】
以下、図２に示すシーケンス図に沿って広告支援システム１００の動作手順を説明する。まず、消費者、広告主及び広告制作者は、本システムを利用するにあたって、それぞれの端末により広告支援装置１０に対し次の手順により登録手続きを行う（S1a、S1b、S1c）。
【００１６】
消費者は、広告評価者の候補としての登録を行うべく、消費者端末５０により広告支援装置１０のＨＰにアクセスし、広告支援装置１０への登録と同時に広告作品に対する著作権保護を厳守すること等について規定された同意書に同意のもと、消費者の氏名及び住所等の個人情報をＨＰの所定の登録画面に入力する。図３に、消費者端末５０から個人情報を登録する際のＨＰの画面例を示す。図３に示す情報は、本発明における登録情報に対応するものである。図示の例では、個人情報として、氏名、住所、生年月日、電話番号、E-Mailアドレス、性別、職業、興味があるジャンルを入力するよう設定されている。
【００１７】
消費者が消費者端末５０から広告支援装置１０へ図３に示すような個人情報を送信すると、広告支援装置１０は、受信した情報を消費者ＤＢ１５へ蓄積すると共に、消費者を認証識別するための認証IDを消費者端末５０のE-Mailアドレスに宛てて通知する。これにより消費者の登録が完了する。なお、認証IDは、登録した個人情報を変更する場合や、広告作品の評価を行う際の認証に利用される。
【００１８】
広告主が広告支援装置１０へ登録を行う際は、広告主端末３０により広告支援装置１０のＨＰにアクセスし、広告支援装置１０への登録と同時に広告作品に対する著作権保護および懸賞の提供を厳守すること等について規定された同意書に同意のもと、広告主の基本情報をＨＰの所定の登録画面に入力する。基本情報としては、広告主名、企業情報、登録責任者名、住所、TEL、E-Mailアドレス等を入力する。広告主端末３０から基本情報が送られると、広告支援装置１０は、基本情報を広告主ＤＢ１３へ蓄積すると共に、広告主を認証識別するための認証IDをの広告主端末３０のE-Mailアドレスに宛てて通知する。これにより、広告主の登録が完了する。
【００１９】
広告制作者が登録を行う際は、制作者端末４０から広告支援装置１０のＨＰにアクセスし、応募する広告作品の著作権に関し規定された同意書に同意のもと、広告制作者の個人情報（広告主名、企業ならば企業情報、登録責任者名、住所、TEL、E-Mailアドレス等）をＨＰの登録画面上で入力する。制作者端末４０から個人情報を送ると、広告制作者を認証識別するための認証IDが広告支援装置１０から通知され、これにより広告制作者の登録が完了する。制作者端末４０から登録された上記情報は制作者ＤＢ１６へ蓄積される。
【００２０】
広告主は、前述した登録手続きを済ませた後、広告の依頼を行うべく、広告主端末３０から広告支援装置１０のＨＰにアクセスして認証IDを用いて認証を受けた後、ＨＰの所定の画面から広告の依頼内容を送信する（S2）。図４に、広告主端末３０から広告依頼を入力する際に用いるＨＰの画面例を示す。図４に示す情報は、本発明における広告依頼情報に対応するものである。
【００２１】
広告の依頼内容としては、図示の例のように、広告対象、広告ターゲット、予算、コンセプト、作品の募集期間および懸賞に提供する商品等に加え、広告作品に対し広告支援装置１０にて決定される評価順位について何れの範囲を広告主端末３０へ通知すべきかを入力する。このとき、範囲として、例えば「上位５位」など比較的上位のものを指定することにより、広告主は、今回の広告に有益な作品のみを把握することができ、また、仮に全ての順位を通知するよう設定すれば、上位に限らず全ての広告作品について知ることができる。
【００２２】
広告支援装置１０は、図４に示すような画面により、広告主端末３０から広告の依頼内容を受けると、その情報を募集要項ＤＢ１４へ登録すると共に、依頼内容を受け付けた旨を広告主端末３０のE-Mailアドレスに宛てて通知する（S3）。そして、募集要項ＤＢ１４に登録した依頼内容に基づいて、ＨＰ処理部１８により広告作品の募集の旨をＨＰに掲載する（S4）。
【００２３】
広告制作者は、広告支援装置１０のＨＰを閲覧することにより広告作品の募集について情報を得た後、募集の条件を満たす作品を消費者端末５０から広告支援装置１０へ送信する（S5）。
【００２４】
広告支援装置１０は、図示を省略した複数の消費者端末５０から送信される広告作品を所定の期日まで受け入れ、受け入れた作品を作品ＤＢ１７へ順次蓄積する。この期日は、募集要項ＤＢ１４に登録されている依頼内容から参照する。
【００２５】
広告支援装置１０は、応募の締め切り後、応募された広告作品の評価を消費者に依頼すべく次の処理を行う。すなわち、広告支援装置１０は、募集要項ＤＢ１４が保持する依頼内容から広告ターゲットを参照し、この広告ターゲットに対応する消費者を消費者ＤＢ１５の個人情報から検索することにより、評価者となる消費者を特定する。具体的には、例えば、広告主からの依頼内容が図４に示すものであった場合、消費者ＤＢ１５が保持する個人情報から、広告ターゲットである「男性／３０歳代」との条件を満たす個人情報を検索する。
【００２６】
さらに、広告支援装置１０は、上記の検索によりヒットした個人情報から消費者端末５０のE-Mailアドレスを抽出し、抽出した各E-Mailアドレスに宛てて、作品評価の依頼を通知する（S7）。このとき、作品の評価を依頼することに加え、評価を提示した者に対し懸賞を用意している旨を併せて通知する。この懸賞は、募集要項ＤＢ１４の依頼内容にて指定されている懸賞内容とする。これにより、広告評価者に選ばれた消費者に対し、評価の参加を促すことができる。
【００２７】
広告支援装置１０から作品評価の依頼を受けた消費者は、消費者端末５０から広告支援装置１０のＨＰにアクセスして該当の広告作品を閲覧し、その中から今回の広告に適当と思われるものを選択して広告支援装置１０へ通知する（S8）。
【００２８】
図５に、消費者端末５０から作品の評価を入力する際のＨＰの画面例を示す。図示の情報は、本発明における評価情報に対応するものである。作品を選択する際の規定は、１つの作品を選ぶようにしてもよいが、図示の例のように、複数の作品を選択できるように設定してもよい。また、図示の例のように、選択した作品に対する改良案を提示するよう設定してもよい。この場合、改良案を提示した評価者に対し懸賞の当選確率を高く設定する、あるいは改良案を提示した作品が実際に採用された際には報奨を与える等の特典を設けることにより、評価者による改良案の提示を促すことができる。
【００２９】
広告支援装置１０は、評価処理部１９を起動し、対象の評価者が消費者端末５０から送信する評価内容を受信して集計し、その集計結果に基づき各応募作品に評価順位を決定する（S9）。評価順位は、図５のような投票画面にて選択された回数が多い作品ほど上位となるよう決定することが望ましい。このとき、ＨＰ処理部１８により、例えば上位１０位ほどの作品とその評価をＨＰに公開するようにしてもよい。
【００３０】
広告支援装置１０は、評価処理部１９により、さらに、募集要項ＤＢ１４の依頼内容に指定されている順位の通知範囲を参照し、その範囲に対応する作品を抽出する（S10）。例えば、図４に示すような通知範囲が指定されている場合は、評価順位が１位から５位までの広告作品を作品ＤＢ１７から抽出する。そして、抽出した作品及びその評価を広告主端末３０へ通知し（S11）、制作者端末４０に対しては、その制作者の評価および順位を通知する（S12）。
【００３１】
広告支援装置１０は、抽選処理部２０を起動して懸賞の抽選処理を行う（S13）。この処理は、募集要項ＤＢ１４の依頼内容にて指定されている懸賞内容に沿って実施し、当選者となる消費者の消費者端末５０に対し当選の旨を通知する（S14）。また、ＨＰ処理部１８により、ＨＰにて当選者を発表するようにしてもよい。
【００３２】
広告主は、広告支援装置１０から通知された広告作品を検討の結果、いずれかの作品を使用することに決定した場合、次の手順により広告使用契約の申し込みを行う。図６に示すシーケンス図に沿って、広告作品の契約手続きに関する手順を説明する。
【００３３】
広告主は、制作者に対する契約条件を広告支援装置１０へ提示すべく、広告主端末３０から広告支援装置１０のＨＰにアクセスし、契約期間及び契約料等、契約に必要な情報を通知する（S21）。このとき、制作者側の意向により契約が不成立となることを考慮して、契約を要請すべき制作者を複数列挙し、それらに優先順位を設定したうえで広告支援装置１０へ通知するようにしてもよい。
【００３４】
広告支援装置１０は、契約処理部２１を起動し、広告主端末３０から通知された情報に契約番号を付与して広告主ＤＢ１３に登録し（S22）、契約対象となる制作者の制作者端末４０へ、広告主から契約の要請がある旨を契約情報と共に通知する（S23）。契約の要請について通知された制作者は、制作者端末４０から広告支援装置１０のＨＰにアクセスして該当の契約番号を入力し、提示された契約条件に対する承諾の可否を通知する（S24）。
【００３５】
広告支援装置１０は、制作者端末４０からの通知を受けたとき、それが契約条件を承諾するとの通知であった場合は契約が成立すると判定し、また、承諾しないとの通知の場合は契約が不成立と判定する。そして、判定した契約成否の結果を広告主端末３０へ通知する（S25）。なお、契約が成立する場合は、のちに両者間で行う面談のために互いの連絡先も通知する。また、契約が成立しない場合は、例えば、前述した契約の優先順位に従い、他の制作者に対し、新たに契約を試みるようにしてもよい。
【００３６】
上記手順にて、広告主および制作者間の契約を広告支援装置１０により仲介することにより、両者の契約手続きを簡便に行うことができる。
【００３７】
以上説明した実施形態の広告支援システム１００によれば、応募された広告作品を第三者となる消費者により評価し、しかも、その評価を広告ターゲットに対応する消費者により行うことから、広告作品に対し、より現実的な評価を得ることができる。また、その評価と共に作品を広告主へ提供することから、広告主は、広告に有益な作品を選択することが容易となる。また、広告主が当システムで広告作品を応募すること自体、その評価に参加しようとする消費者に対しての広告効果が期待できる。
【００３８】
さらにまた、資金力や実績に乏しい広告制作者であっても、本システムに登録することにより、広告主との契約の機会を与えられる可能性が高まり、これにより、優れた作品の埋没を防ぐことができる。
【００３９】
なお、広告支援装置１０のＨＰ処理部１８により制御する掲示板をＨＰに設置することにより、広告制作者と消費者との交流の場を設けることが可能となる。これにより、広告ターゲットとなる消費者の意向をより作品に反映させることができる。
【図面の簡単な説明】
【００４０】
【図１】本発明の実施形態の構成を示すブロック図である。
【図２】実施形態の動作手順を示すシーケンス図である。
【図３】実施形態の登録情報の入力画面の説明図である。
【図４】実施形態の広告依頼情報の入力画面の説明図である。
【図５】実施形態の広告作品の投票画面の説明図である。
【図６】実施形態の契約処理の動作手順を示すシーケンス図である。
【符号の説明】
【００４１】
１００  広告支援システム
１００Ａ  通信ネットワーク
１０  広告支援装置
３０  広告主端末
４０  制作者端末
５０  消費者端末
１１：記憶機構、１２：制御機構、１３：広告主ＤＢ、１４：募集要項ＤＢ、１５：消費者ＤＢ、１６：制作者ＤＢ、１７：作品ＤＢ、１８：ＨＰ処理部、１９：評価処理部、２０：抽選処理部、２１：契約処理部
【図１】
2006251884.tif 000003
【図２】
2006251884.tif 000004
【図３】
2006251884.tif 000005
【図４】
2006251884.tif 000006
【図５】
2006251884.tif 000007
【図６】
2006251884.tif 000008